(57)【要約】【課題】透明板の原稿通過面上に異物が付着するのを未然に防止するようにした画像読取装置を提供する。【解決手段】第１の透明板３の原稿通過面３１には、第１の透明板３の全長Ｌ１に渡って凹部８１が形成されている。凹部８１の幅Ｗ１は、第１の透明板３を照射光７１１と反射光７２１が通る領域をカバーする長さに形成されている。原稿４が搬送ガイド５と搬入ガイド６１に案内されて第１の透明板３の原稿通過面３１に搬送される。原稿４の画像面４１は凹部８１と接触しないので、画像面４１に乾いていない状態のインク、糊、修正液等が付着していても、凹部８１に異物が付着することは無い。【選択図】図１
2017098628.tif 000002
【特許請求の範囲】
【請求項１】
原稿を搬送して所定の画像読取位置を通過させ所定の排出部に排出させる自動原稿送り装置を備えた画像読取装置において、
前記原稿が通過する位置に配置された第１の透明板と、
前記原稿が通過する前記原稿に光を照射して、反射光を前記第１の透明板を通して読み取る画像読取手段と、
前記第１の透明板上で、かつ前記原稿が通過する原稿通過面に、前記照射光と反射光が通る走査領域に形成された凹部と
を備えたことを特徴とする画像読取装置。
【請求項２】
請求項１に記載の画像読取装置において、
前記凹部の底面は、前記原稿通過面に平行に形成されている
ことを特徴とする画像読取装置。
【請求項３】
請求項２に記載の画像読取装置において、
前記第１の透明板は、前記凹部よりも前記原稿の搬送方向の上流側に形成され、かつ前記原稿通過面の上部で、前記原稿の搬送方向と直交する中心軸線を中心とする円弧状の凹部を備えた
ことを特徴とする画像読取装置。
【請求項４】
請求項３に記載の画像読取装置において、
前記原稿通過面の裏面に接して配置された第２の透明板と、
前記原稿通過面に接して配置されたフレームと、
前記原稿の搬送方向と平行に前記第１の透明板を前記フレームと前記第２の透明板に沿って往復移動する駆動装置と
を備えたことを特徴とする画像読取装置。
【請求項５】
請求項４に記載の画像読取装置において、
前記駆動装置は、
前記第１の透明板に前記原稿の搬送方向と直交する方向の両端に各々取り付けられ、前記原稿の搬送方向に平行に配置された一対のラックと、
前記一対のラックに各々噛み合う一対のピニオンと、
前記原稿の搬送方向と直交する方向に平行に配置され、両端に前記一対のピニオンが連結された駆動軸と、
前記駆動軸を回転させる駆動源とを備えた
ことを特徴とする画像読取装置。
【請求項６】
請求項４又は５に記載の画像読取装置において、
前記原稿通過面の裏面に取り付けられ、前記第２の透明板の汚れを拭き取る第１の拭き取りクロスと、
前記フレームに取り付けられ、前記原稿通過面の汚れを拭き取る第２の拭き取りクロスとを備えた
ことを特徴とする画像読取装置。
【発明の詳細な説明】
【技術分野】
【０００１】
本発明は、原稿の画像を読み取る画像読取装置に関する。さらに詳しくは、自動原稿送り装置を備えて、原稿流し読み動作を行う画像読取装置に関する。
【背景技術】
【０００２】
複写機、ファクシミリ、スキャナ、及びそれらを複合した複合機等に設けられた画像読取装置には、自動原稿送り装置（ＡＤＦ）が原稿を１枚ずつ透明板（原稿台）上に搬送し、原稿が透明板上の読み取り位置を通過する際に原稿を読み取る原稿流し読み方式（シートスルー方式）の画像読取装置がある。
【０００３】
原稿流し読み方式の画像読取装置では、透明板の（原稿台）原稿通過面上に、汚れやゴミ等の異物が有ると、この異物が小さなものであっても、読み取られた画像には、原稿の搬送方向（副走査方向）に、筋状の画像ノイズが生じる。従来このような画像ノイズが生じることを防ぐための方法として、透明板の原稿通過面上に清掃部材を弾性的に接触させ、この清掃部材に対して透明板を移動させて、透明板上の異物を除去するようにした画像読取装置がある（特許文献１）。また、透明板の原稿通過面上に空気を噴射して、透明板上の異物を除去するようにした画像読取装置がある（特許文献２）。しかし、乾いていない状態のインク、糊、修正液等が付着した原稿が透明板上に搬送されると、透明板の原稿通過面上に異物が付着し筋状の画像ノイズが生じるが、上記した従来の画像読取装置では、このような異物の付着を未然に防止することが難しかった。
【先行技術文献】
【特許文献】
【０００４】
【特許文献１】特開２００３−１８９０６０号公報
【特許文献２】特開２０１５−５０５５９号公報
【発明の概要】
【発明が解決しようとする課題】
【０００５】
本発明は、以上のような背景で発明されたものであり、以下の目的を達成するものである。本発明の目的は、透明板の原稿通過面上に異物が付着するのを未然に防止するようにした画像読取装置を提供することにある。
【課題を解決するための手段】
【０００６】
本発明は、前記課題を解決するために、次の手段を採る。
即ち、本発明１の画像読取装置は、
原稿を搬送して所定の画像読取位置を通過させ所定の排出部に排出させる自動原稿送り装置を備えた画像読取装置において、
前記原稿が通過する位置に配置された第１の透明板と、
前記原稿が通過する前記原稿に光を照射して、反射光を前記第１の透明板を通して読み取る画像読取手段と、
前記第１の透明板上で、かつ前記原稿が通過する原稿通過面に、前記照射光と反射光が通る走査領域に形成された凹部とを備えたことを特徴とする。
【０００７】
本発明２の画像読取装置は、本発明１において、前記凹部の底面は、前記原稿通過面に平行に形成されていることを特徴とする。
本発明３の画像読取装置は、本発明２において、前記第１の透明板は、前記凹部よりも前記原稿の搬送方向の上流側に形成され、かつ前記原稿通過面の上部で、前記原稿の搬送方向と直交する中心軸線を中心とする円弧状の凹部を備えたことを特徴とする。
【０００８】
本発明４の画像読取装置は、本発明３において、前記原稿通過面の裏面に接して配置された第２の透明板と、前記原稿通過面に接して配置されたフレームと、前記原稿の搬送方向と平行に前記第１の透明板を前記フレームと前記第２の透明板に沿って往復移動する駆動装置とを備えたことを特徴とする。
【０００９】
本発明５の画像読取装置は、本発明４において、前記駆動装置は、前記第１の透明板に前記原稿の搬送方向と直交する方向の両端に各々取り付けられ、前記原稿の搬送方向に平行に配置された一対のラックと、前記一対のラックに各々噛み合う一対のピニオンと、前記原稿の搬送方向と直交する方向に平行に配置され、両端に前記一対のピニオンが連結された駆動軸と、前記駆動軸を回転させる駆動源とを備えたことを特徴とする。
【００１０】
本発明６の画像読取装置は、本発明４又は５において、前記原稿通過面の裏面に取り付けられ、前記第２の透明板の汚れを拭き取る第１の拭き取りクロスと、前記フレームに取り付けられ、前記原稿通過面の汚れを拭き取る第２の拭き取りクロスとを備えたことを特徴とする。
【発明の効果】
【００１１】
本発明の画像読取装置は、原稿が通過する位置に配置された第１の透明板の原稿通過面の、照射光と反射光が通る走査領域に凹部を備えているので、原稿の画像面は凹部と接触せず、凹部に異物が付着することが少ない。
【図面の簡単な説明】
【００１２】
【図１】図１は、本発明の第１の実施の形態の画像読取装置を示す縦断面図である。
【図２】図２は、図１の第１の透明板を示し、図２（ａ）は図１の第１の透明板の拡大縦断面図、図２（ｂ）は図２（ａ）のＰ矢視図である。
【図３】図３は、本発明の第２の実施の形態の画像読取装置を示す縦断面図である。
【図４】図４は、図３の第１の透明板を示し、図４（ａ）は図３の第１の透明板の拡大縦断面図、図４（ｂ）は図４（ａ）のＱ矢視図である。
【図５】図５は、本発明の第３の実施の形態の画像読取装置を示す縦断面図である。
【図６】図６は、図５の第１の透明板を読取位置から退避位置に移動させた状態を示す縦断面図である。
【図７】図７は、本発明の第３の実施の形態の駆動装置を示し、第１の透明板を裏面側から見た下面図である。
【図８】図８（ａ）は、図７のＲ矢視図、図８（ｂ）は図８（ａ）の右側面図である。
【発明を実施するための形態】
【００１３】
〔画像読取装置の第１の実施の形態〕
以下、本発明の第１の実施の形態を図面に基づいて説明する。図１は、本発明の第１の実施の形態の画像読取装置を示す縦断面図、図２は、図１の第１の透明板を示し、図２（ａ）は図１の第１の透明板の拡大縦断面図、図２（ｂ）は図２（ａ）のＰ矢視図である。図１、図２に示すように、本発明の第１の実施の形態の画像読取装置１は複写機２等の上方部分に設置されている。複写機２の上面２１には第１の透明板（原稿台）３が固定されている。第１の透明板３の上面の原稿通過面３１には、図示しない自動原稿送り装置（ＡＤＦ）が開閉可能に設置されている。自動原稿送り装置の原稿トレイから原稿４が第１の透明板３に送り込まれる。原稿４は、自動原稿送り装置下面の搬送ガイド５と搬入ガイド６１に案内されて、第１の透明板３の原稿通過面３１に搬送される。搬入ガイド６１は、複写機２の上面２１の原稿搬入側（図１の左側）に固定されている。原稿通過面３１を通過した原稿４は、搬出ガイド６２に案内されて図示しない自動原稿送り装置の排出トレイ上に排出される。搬出ガイド６２は、複写機２の上面２１の原稿搬出側（図１の右側）に固定されている。
【００１４】
複写機２には、第１の透明板３の下方に光源７１とラインセンサ７２で構成される画像読取手段が設置されている。原稿４の画像面４１に第１の透明板３を通して光源７１の線状の照射光７１１を照射し、原稿４の画像面４１からの反射光７２１をラインセンサ７２で読み取る。図２に示すように、第１の透明板３は、原稿４の搬送方向（副走査方向）と直交する方向（主走査方向）に長く延びる長板状で、その全長Ｌ１は、原稿４の幅（主走査方向の原稿４の寸法）Ｌ２よりも若干長く形成されている。第１の透明板３の原稿通過面３１には、第１の透明板３の全長Ｌ１に渡って凹部８１が形成されている。凹部８１の幅Ｗ１は、第１の透明板３を照射光７１１と反射光７２１が通る領域をカバーする長さに形成されている。従って、凹部８１は、照射光７１１と反射光７２１が通る走査領域（主走査方向と副走査方向の両方）をカバーする範囲に形成されている。また、凹部８１の底面は、原稿通過面３１に平行に形成され、原稿通過面３１から凹部８１の底面までの深さα１は０．３ｍｍ〜０．５ｍｍに形成されている。
【００１５】
このように構成された本発明の第１の実施の形態の画像読取装置１で、原稿４が搬送ガイド５と搬入ガイド６１に案内されて第１の透明板３の原稿通過面３１に搬送される。原稿４の画像面４１は凹部８１と接触しないので、画像面４１に乾いていない状態のインク、糊、修正液等が付着していても、凹部８１に異物が付着することは無い。従って、ラインセンサ７２で読み取られた画像に、副走査方向に筋状の画像ノイズが生じることを未然に防止することができる。
【００１６】
〔画像読取装置の第２の実施の形態〕
以下、本発明の第２の実施の形態を図面に基づいて説明する。図３は、本発明の第２の実施の形態の画像読取装置を示す縦断面図、図４は、図３の第１の透明板を示し、図４（ａ）は図３の第１の透明板の拡大縦断面図、図４（ｂ）は図４（ａ）のＱ矢視図である。第２の実施の形態の画像読取装置１０は、原稿通過面３１に凹部８１よりも原稿４の搬送方向の上流側に円弧状の凹部を追加して形成した例である。以下の説明では、第１の実施の形態と同一部分には同一符号を付し、第１の実施の形態と重複する説明は省略する。
【００１７】
図３、図４に示すように、第１の透明板３の原稿通過面３１には、第１の実施の形態の画像読取装置１と同一形状の凹部８１が形成されている。また、原稿通過面３１には、凹部８１よりも原稿４の搬送方向（副走査方向）の上流側に円弧状の凹部８２が形成されている。円弧状の凹部８２は、原稿通過面３１の上部で原稿４の搬送方向（副走査方向）と直交する中心軸線８３を中心とする半径Ｒの円弧状に形成されている。円弧状の凹部８２の幅はＷ２で、円弧状の凹部８２の副走査方向の下流側端部は、凹部８１の副走査方向の上流側端部に近接して形成されている。原稿通過面３１から円弧状の凹部８２の底面までの深さα２は０．３ｍｍ〜０．５ｍｍに形成されている。
【００１８】
このように構成された本発明の第２の実施の形態の画像読取装置１０で、原稿４が搬送ガイド５と搬入ガイド６１に案内されて第１の透明板３の原稿通過面３１に搬送される。すると、原稿４は円弧状の凹部８２に沿って下側が凸の円弧状に曲げられる。原稿４は円弧状の凹部８２から出る時に上向きに排出される。その結果、原稿４は搬送ガイド５に押し付けられながら搬送されるため、凹部８１の位置で、原稿４の自重で、下側が凸の円弧状に垂れ下がることが無い。従って、原稿４の画像面４１は凹部８１と接触しないので、画像面４１に乾いていない状態のインク、糊、修正液等が付着していても、凹部８１に異物が付着することは無い。従って、読み取られた画像に、副走査方向に筋状の画像ノイズが生じることを未然に防止することができる。
【００１９】
〔画像読取装置の第３の実施の形態〕
以下、本発明の第３の実施の形態を図面に基づいて説明する。図５は、本発明の第３の実施の形態の画像読取装置を示す縦断面図、図６は、図５の第１の透明板を読取位置から退避位置に移動させた状態を示す縦断面図である。図７は、本発明の第３の実施の形態の駆動装置を示し、第１の透明板を裏面側から見た下面図、図８（ａ）は、図７のＲ矢視図、図８（ｂ）は図８（ａ）の右側面図である。第３の実施の形態の画像読取装置１００は、第１の透明板を読取位置と退避位置との間で往復移動させるようにした例である。以下の説明では、上記した実施の形態と同一部分には同一符号を付し、上記した実施の形態と重複する説明は省略する。
【００２０】
図５、図６に示すように、複写機２の上面２１には、第１の透明板３の原稿通過面３１の裏面（下面）に接して第２の透明板３００が固定されている。また、複写機２の上面２１には、第１の透明板３の原稿通過面３１に接してフレーム６３が固定されている。フレーム６３は、上記した実施の形態の搬入ガイド６１の機能を兼用している。第１の透明板３には、第２の実施の形態の画像読取装置１０と同様に、凹部８１と円弧状の凹部８２が形成されている。第１の透明板３は、原稿４の搬送方向（副走査方向）と平行に移動可能で、フレーム６３と第２の透明板３００に沿って往復移動する。
【００２１】
第１の透明板３は、ラック・ピニオン機構で構成される駆動装置３２によって往復移動される。図７、図８に示すように、駆動装置３２は、一対のラック３５Ａ、３５Ｂ、一対のピニオン３６Ａ、３６Ｂ、駆動軸３６Ｃ、モータ（駆動源）３７等によって構成される。ラック３５Ａ、３５Ｂは、第１の透明板３の原稿通過面３１の裏面に固定されている。ラック３５Ａ、３５Ｂは、原稿４の搬送方向（副走査方向）と直交する方向の両端に各々取り付けられ、原稿４の搬送方向に平行に配置されている。ピニオン３６Ａ、３６Ｂは、ラック３５Ａ、３５Ｂに各々噛み合い、駆動軸３６Ｃの両端にピニオン３６Ａ、３６Ｂが連結されている。駆動軸３６Ｃは、原稿４の搬送方向（副走査方向）と直交する方向に平行に配置されている。
【００２２】
モータ３７は、複写機２の上面２１の近傍に固定されている。モータ３７の出力軸３７１にはウォーム３７２が固定されている。駆動軸３６Ｃの端部には、ピニオン３６Ａに隣接してウォームホイール３７３が連結され、ウォームホイール３７３にウォーム３７２が噛み合っている。モータ３７を駆動すると、ウォーム３７２、ウォームホイール３７３、駆動軸３６Ｃ、ピニオン３６Ａ、３６Ｂが同期して回転する。従って、ラック３５Ａ、３５Ｂが同期して移動し、第１の透明板３が原稿４の搬送方向（副走査方向の）に移動する。第１の透明板３は、原稿４の搬送方向と直交する方向に細長く延びる長板状であるが、その長手方向の両端を同期して駆動することにより、第１の透明板３の移動動作を円滑にすることが可能となる。また、モータ３７、ウォームホイール３７３、ラック３５Ａ、３５Ｂ、ピニオン３６Ａ、３６Ｂは、第１の透明板３の両端に設置されているため、照射光７１１と反射光７２１が通る領域を邪魔しない。
【００２３】
第１の透明板３の原稿通過面３１の裏面には、第２の透明板３００の汚れを拭き取る第１の拭き取りクロス３３が取り付けられている。またフレーム６３の下面には、第１の透明板３の原稿通過面３１の汚れを拭き取る第２の拭き取りクロス３４が取り付けられている。第１の拭き取りクロス３３、第２の拭き取りクロス３４は、吸水性に優れたポリエステル等の極細繊維で形成されている。
【００２４】
図５は、第１の透明板３が原稿４の搬送方向（副走査方向）の下流側の移動端にあって、第１の透明板３が第２の透明板３００の真上で、かつ第１の透明板３の原稿通過面３１が搬送ガイド５に対向した読取位置に位置決めされている。この読取位置で、原稿４が搬送ガイド５とフレーム６３に案内されて第１の透明板３の原稿通過面３１に搬送される。原稿４は、円弧状の凹部８２を経由して凹部８１を通り、凹部８１を通る反射光７２１をラインセンサ７２で読み取り、原稿４の画像面４１を読み取る。
【００２５】
このように構成された本発明の第３の実施の形態の画像読取装置１００で、画像面４１の読み取り動作が終了すると、図６に示すように、駆動装置３２で第１の透明板３を原稿４の搬送方向（副走査方向の）の上流側に移動し、その後、駆動装置３２で第１の透明板３を原稿４の搬送方向（副走査方向）の下流側に移動する。その結果、第１の拭き取りクロス３３が第２の透明板３００の上面を拭き取り、第２の拭き取りクロス３４が第１の透明板３の原稿通過面３１の汚れを拭き取る。第１の透明板３の往復移動は、画像面４１の読み取り動作を開始する前に行ってもよい。
【００２６】
以上、本発明の実施例を説明したが、本発明はこの実施例に限定されることはない。例えば、前述した実施例では、凹部８１の底面は原稿通過面３１に平行に形成されているが、原稿通過面３１に対して傾斜して形成してもよい。
【符号の説明】
【００２７】
１、１０、１００…画像読取装置
２…複写機
２１…上面
３…第１の透明板（原稿台）
３１…原稿通過面
３２…駆動装置
３３…第１の拭き取りクロス
３４…第２の拭き取りクロス
３５Ａ、３５Ｂ…ラック
３６Ａ、３６Ｂ…ピニオン
３６Ｃ…駆動軸
３７…モータ（駆動源）
３７１…出力軸
３７２…ウォーム
３７３…ウォームホイール
３００…第２の透明板
４…原稿
４１…画像面
５…搬送ガイド
６１…搬入ガイド
６２…搬出ガイド
６３…フレーム
７１…光源
７１１…照射光
７２…ラインセンサ
７２１…反射光
８１…凹部
８２…円弧状の凹部
８３…中心軸線
【図１】
2017098628.tif 000003
【図２】
2017098628.tif 000004
【図３】
2017098628.tif 000005
【図４】
2017098628.tif 000006
【図５】
2017098628.tif 000007
【図６】
2017098628.tif 000008
【図７】
2017098628.tif 000009
【図８】
2017098628.tif 000010